(57)【要約】【課題】  映像式遊技機において、実遊技機において生じる盤面構成部材等への遊技球の衝突音を模した実衝突模倣音の発生を実現可能とし、効果音の観点から実遊技機に近い遊技を可能とする。【解決手段】  遊技釘を含む各種盤面構成部材が配置された遊技盤面と発射球とを画像表示して遊技を行う映像式遊技機において、画像表示制御装置７には、発射球毎の球ルートに対応するポイントテーブル７ｃ４を参照し、このテーブルに表された経過時間対応の遊技球位置に従って遊技球を移動表示させる表示手段７ｈを設ける。テーブル７ｃ４に衝突情報欄を加え、同欄の遊技球位置座標に応じた箇所に衝突音選択情報Ｓ１１を表す。音声制御装置８は、移動表示されている遊技球が衝突情報欄に衝突有と表された位置に到達した時に、衝突音選択情報に応じた種類の実衝突模倣音をスピーカ３７から発生させる。【選択図】        図５
2005329126.tif 000002
【特許請求の範囲】
【請求項１】
遊技釘を含む複数種類の盤面構成部材が定位置に配置された遊技盤面と、発射操作部の操作により発射され、前記遊技盤面上を移動する遊技球とを、遊技機枠に搭載された画像表示器に表示して遊技を行う映像式遊技機であって、
前記画像表示器に表示された遊技盤面画像における遊技状態を制御する主制御手段と、
この主制御手段の制御に基づき前記遊技盤面画像における表示制御を行う画像表示制御手段と、
前記主制御手段の制御に基づき音声出力装置から音声を発生させる音声制御手段とを備え、
前記画像表示制御手段は、前記発射操作部の操作により発射される遊技球毎に、予め定められた条件に基づいて各々取得された球ルートに対応するポイントテーブルを参照し、このポイントテーブルに表された経過時間対応の遊技球の位置座標に従って各遊技球を移動表示させる遊技球移動表示手段を備え、
前記ポイントテーブルには衝突情報欄が付加され、この衝突情報欄には、前記経過時間対応の遊技球の位置座標に応じて、前記盤面構成部材への遊技球の衝突の有無情報と、衝突有の場合におけるその衝突位置座標に位置する盤面構成部材に応じた衝突音選択情報とを含む衝突情報が表され、
前記音声制御手段は、前記遊技球移動表示手段により移動表示されている遊技球が、前記衝突情報欄に衝突有と表された位置座標に到達した時に、その衝突情報欄に表された衝突音選択情報に応じた種類の実衝突模倣音を前記音声出力装置から発生させることを特徴とする映像式遊技機。
【請求項２】
請求項１に記載の映像式遊技機において、
遊技盤面の前面は透明板体で覆われていると設定され、
ポイントテーブルの衝突情報欄には、経過時間対応の遊技球の位置座標に応じて、前記透明板体又は盤面構成部材への遊技球の衝突の有無情報と、衝突有の場合におけるその衝突位置座標に位置する透明板体又は盤面構成部材に応じた衝突音選択情報とを含む衝突情報が表されることを特徴とする映像式遊技機。
【発明の詳細な説明】
【技術分野】
【０００１】
本発明は、旧来からの機械式の遊技機（実遊技機）と同様の発射操作部を備え、入賞口、アウト口、遊技釘等の盤面構成部材が実遊技機の遊技盤面形態を模して配置された遊技盤面、及びこの遊技盤面上の遊技領域に打ち込まれ流下する遊技球等を画像表示器に表示して仮想的に遊技を行う映像式遊技機に関するものである。
【背景技術】
【０００２】
この種の遊技機においては、実遊技機とは異なり、遊技盤面上の遊技領域に打ち込まれた実体のある遊技球が重力によって落下して行くわけではない。したがって、入賞口、遊技釘等の盤面構成部材や遊技盤面の前面を覆う透明のガラス板に遊技球が実際に衝突することはなく、勿論、その際の衝突音等が聴けることはない。つまり、無音状態で遊技球が遊技盤面上を移動して行くことになる。
【０００３】
これでは余りに実遊技機と異なり、面白みを欠くことから、従来、「球の映像の障害物の映像との衝突時…に…電子音を発生」させて興味を増すようにした遊技機が提案された（特許文献１の特許請求の範囲参照）。
【特許文献１】特開昭５６−３４３７８号公報
【発明の開示】
【発明が解決しようとする課題】
【０００４】
しかしながら上記特許文献１では、遊技球の障害物との当接（衝突）時における電子音の発生は、ＣＰＵがＲＯＭ、ＲＡＭの情報を解釈して判断することにより行っている旨、記載されているだけであり（特許文献１中の明細書９頁１１〜１６行参照）、具体的に実現できるものではなかった。
また、遊技球の障害物との衝突音も、球発射音、入賞音、アウト球口への落入音等と異なればよいという程度の電子音では（同上明細書３頁１２〜１７行、同９頁９〜１０行参照）、興味を増すことはできても、映像式遊技機による遊技を実遊技機による遊技に近づけるという点からは満足できなかった。
【０００５】
本発明は、上記のような実情に鑑みなされたもので、遊技球が、その障害物となる盤面構成部材や遊技盤面の前面を覆うように想定された透明板体への衝突音を具体的に実現可能で、しかも効果音の観点からより一層実遊技機による遊技に近づけられる映像式遊技機を提供することを目的とする。
【課題を解決するための手段】
【０００６】
上記目的を達成するために、特許請求の範囲の請求項１に記載の発明は、遊技釘を含む複数種類の盤面構成部材が定位置に配置された遊技盤面と、発射操作部の操作により発射され、前記遊技盤面上を移動する遊技球とを、遊技機枠に搭載された画像表示器に表示して遊技を行う映像式遊技機であって、前記画像表示器に表示された遊技盤面画像における遊技状態を制御する主制御手段と、この主制御手段の制御に基づき前記遊技盤面画像における表示制御を行う画像表示制御手段と、前記主制御手段の制御に基づき音声出力装置から音声を発生させる音声制御手段とを備え、前記画像表示制御手段は、前記発射操作部の操作により発射される遊技球毎に、予め定められた条件に基づいて各々取得された球ルートに対応するポイントテーブルを参照し、このポイントテーブルに表された経過時間対応の遊技球の位置座標に従って各遊技球を移動表示させる遊技球移動表示手段を備え、前記ポイントテーブルには衝突情報欄が付加され、この衝突情報欄には、前記経過時間対応の遊技球の位置座標に応じて、前記盤面構成部材への遊技球の衝突の有無情報と、衝突有の場合におけるその衝突位置座標に位置する盤面構成部材に応じた衝突音選択情報とを含む衝突情報が表され、前記音声制御手段は、前記遊技球移動表示手段により移動表示されている遊技球が、前記衝突情報欄に衝突有と表された位置座標に到達した時に、その衝突情報欄に表された衝突音選択情報に応じた種類の実衝突模倣音を前記音声出力装置から発生させることを特徴とする。
【０００７】
また、特許請求の範囲の請求項２に記載の発明は、上記請求項１に記載の発明において、遊技盤面の前面は透明板体で覆われていると設定され、ポイントテーブルの衝突情報欄には、経過時間対応の遊技球の位置座標に応じて、前記透明板体又は盤面構成部材への遊技球の衝突の有無情報と、衝突有の場合におけるその衝突位置座標に位置する透明板体又は盤面構成部材に応じた衝突音選択情報とを含む衝突情報が表されることを特徴とする。
【発明の効果】
【０００８】
特許請求の範囲の請求項１に記載の発明では、遊技球移動表示手段は、発射される遊技球毎に取得された球ルート対応のポイントテーブルを参照し、このテーブルに表された経過時間対応の遊技球の位置座標に従って各遊技球を移動表示させる。
ポイントテーブルの衝突情報欄には、経過時間対応の遊技球の位置座標に応じて、盤面構成部材への遊技球の衝突の有無情報と、衝突有の場合におけるその衝突位置座標に位置する盤面構成部材に応じた衝突音選択情報とを含む衝突情報を表した。
音声制御手段は、移動表示されている遊技球が、ポイントテーブルの衝突情報欄に衝突有と表された位置座標に到達した時に、その衝突情報欄の衝突音選択情報に応じた種類の実衝突模倣音を音声出力装置から発生させる。実衝突模倣音は、実遊技機における盤面構成部材への遊技球の衝突音を模した音声出力装置からの発生音である。
これによれば、遊技球（画像）が、その障害物となる盤面構成部材（画像）への衝突音を具体的に実現可能で、しかも効果音の観点から一層実遊技機による遊技に近づけることが可能である。
【０００９】
特許請求の範囲の請求項２に記載の発明では、盤面構成部材のみならず遊技盤面前面を覆う透明板体（実遊技機において遊技球の落下を阻止するために備えられている前面ガラス板等に相当する透明板体）への衝突音についても具体的に実現可能となり、効果音の観点からより一層実遊技機による遊技に近づけることが可能である。
【発明を実施するための最良の形態】
【００１０】
以下、本発明の実施の形態を図面に基づき説明する。なお、各図間において、同一符号は同一又は相当部分を示す。
図１は本発明が適用された映像式パチンコ機の一実施形態の要部を示す構成図である。
この図において、映像式パチンコ機の遊技機枠１は、パチンコ遊技場内のいわゆる島と呼ばれる遊技機設置設備に取り付けるための固定枠２を備える。固定枠２には、可動枠３が、左側に位置するヒンジ４によって片開き可能に取り付けられる。可動枠３の内側には、画像表示器５が、画面を前側に向けて取り付けられる。画像表示器５は、液晶表示器、プラズマディスプレイ、ＥＬディスプレイ等からなり、電気的に表示形態を変えられる画像を表示できる。可動枠３の裏面側には主制御装置６、画像表示制御装置７、音声制御装置８及びカード制御装置９が取り付けられる。
【００１１】
上記主制御装置６、画像表示制御装置７、音声制御装置８及びカード制御装置９は、図２に取り出して示すように接続構成されている。
このうち主制御装置６は、画像表示制御装置７の制御を経て画像表示器５に遊技盤面の画像（以下、盤面画像と略記する。）を表示させ、かつこの表示させた盤面画像における遊技状態の制御及び賞球制御等、パチンコ機全般の制御を司る装置である。
【００１２】
ここで上記盤面画像は、実遊技機の遊技盤面の形態を模した画像である。すなわち、図３に例示するように、ガイドレール３９、発射通路４０、遊技領域４１、センタ飾り４２、図柄表示部４３、一般入賞口４４〜４７、始動入賞口４８、始動入賞口４８の可動片４８ａ、大入賞口４９、大入賞口４９の前面の開閉体５０、ランプ風車５１、ゲート５２、風車５３、サイドランプ５４、アウト口５５及び多数の遊技釘５６…等の盤面構成部材等を表す画像からなる。
【００１３】
上記主制御装置６は、図４に示すように、例えばＣＰＵ６ａ、ＲＡＭ６ｂ、ＲＯＭ６ｃ及び入出力インタフェース６ｄを備えて構成されている。また、ＲＯＭ６ｃには、制御プログラム６ｃ１及びデータ群６ｃ２が格納されている。
主制御装置６は、ＣＰＵ６ａがＲＡＭ６ｂを作業域として用い、ＲＯＭ６ｃ中のデータ群６ｃ２を適宜読み出して制御プログラム６ｃ１を実行し、上述した制御を行う。
【００１４】
また主制御装置６は、後述発射操作部の操作により発射される遊技球の盤面画像上の消滅位置と、盤面画像上に表示されてから消滅するまでの遊技球の生存時間とを球属性として決定する球属性決定手段６ｅを備える。更に主制御装置６は、この球属性決定手段６ｅにより決定された球属性を含む遊技球発射コマンド（信号）Ｓ１を、後述発射操作部の操作により発射される遊技球毎に作成して送信するコマンド送信手段６ｆも備える。上記球属性は、所定の条件に基づいて決定されるが、その決定方法は後述する。
【００１５】
上記画像表示制御装置７は、主制御装置６の制御に基づき、つまり主制御装置６からの遊技球発射コマンドＳ１、その他、各種のコマンドを受信し、これらのコマンドＳ１等により画像表示器５に上記盤面画像を表示させ、かつ表示させた盤面画像における表示制御を行う装置である。
「表示させた盤面画像における表示制御を行う」とは、具体的には、画像表示器５を制御して、上記盤面画像自体の制御表示、例えば後述する複数の図柄の変動表示や図３に示す大入賞口４９の開閉体５０の動画像表示等をさせ、あるいは遊技球を上記盤面画像上に移動表示させることをいう。
画像表示制御装置７の制御によるこれらの表示は、主制御装置６の制御に基づいている。特に、画像表示制御装置７による盤面画像自体の制御表示は、主制御装置６による上記盤面画像における遊技状態の制御に基づいている。
【００１６】
この画像表示制御装置７は、図５に示すように、例えばＣＰＵ７ａ、ＲＡＭ７ｂ、ＲＯＭ７ｃ、画像処理専用の演算処理ユニット（ＧＰＵ：グラフィックス・プロセッシング・ユニット）７ｄ、ビデオＲＡＭ７ｅ、入力インタフェース７ｆ及び出力インタフェース７ｇを備えて構成されている。
【００１７】
上記ＲＯＭ７ｃには、制御プログラム７ｃ１と、遊技釘５６の位置、形状（大きさを含む）を表す遊技釘データ７ｃ２と、球属性別、ここでは遊技球消滅位置・生存時間別の球ルートテーブル７ｃ３と、ポイントテーブル７ｃ４と、その他のデータ群７ｃ５とが格納されている。
【００１８】
データ群７ｃ５には、遊技釘データ７ｃ２と共に盤面画像を表示するためのガイドレール３９、センタ飾り４２、図柄表示部４３、各種入賞口４４〜４９、可動片４８ａ、開閉体５０、各種風車５１，５３、ゲート５２、サイドランプ５４及びアウト口５５等の盤面構成部材の表示用データや、盤面背景データ等が含まれる。盤面構成部材の表示用データは、具体的にはそれら盤面構成部材の位置、形状（大きさを含む）を表すデータである。
【００１９】
これらガイドレール３９、センタ飾り４２、図柄表示部４３、各種入賞口４４〜４９、可動片４８ａ、開閉体５０、各種風車５１，５３、ゲート５２、サイドランプ５４、アウト口５５及び遊技釘５６等の盤面構成部材は、ＲＯＭ７ｃに記憶、設定された定位置に、定形状（大きさを含む）で盤面画像上に表示される。ここで、可動片４８ａ、開閉体５０あるいは風車５３のように動きのある盤面構成部材については、上記定形状には上記動きの範囲内における変化形状も含む。
【００２０】
本実施形態においては、実遊技機の場合と同様に、遊技盤面の前面を所定の間隔を置いて覆うように透明板体が設定（想定）されているが、上記間隔（遊技盤面からの前後方向の距離）、つまり透明板体の位置もまたデータ群７ｃ５中に設定されている。なお上記透明板体は、実遊技機において遊技球の落下を阻止するために備えられている透明板体、通常は前面ガラス板に相当する板体で、透明であるために、盤面画像上に目に見える形態で表示されている訳ではなく、位置のみがデータ群７ｃ５中に設定されている。
【００２１】
したがって、盤面画像上に表示された遊技球が、例えばセンタ飾り４２、風車５１，５３、サイドランプ５４、遊技釘５６等の盤面構成部材、あるいは上記透明板体と衝突するか否か（衝突の有無）は、後述する球ルートが特定されることにより事前に把握できる。
なお衝突は、移動する遊技球（画像）の占める位置が、上記センタ飾り４２、風車５１，５３、サイドランプ５４、遊技釘５６等の盤面構成部材（画像）の占める位置あるいは上記透明板体（位置）に重なる瞬間に生じるものであると設定されている。
【００２２】
画像表示制御装置７は、ＣＰＵ７ａがＲＡＭ７ｂを作業域として用い、ＲＯＭ７ｃ中の遊技釘データ７ｃ２及びデータ群７ｃ５を適宜読み出して制御プログラム７ｃ１を実行する。そして画像表示制御装置７は、ＧＰＵ７ｄを制御してビデオＲＡＭ７ｅに描画データを書き込ませ、上述したように画像表示器５に盤面画像を表示させ、かつ表示させた盤面画像における表示制御を行う。
【００２３】
また画像表示制御装置７は、遊技球移動表示手段７ｈを備える。この遊技球移動表示手段７ｈは、後述発射操作部の操作により発射される遊技球毎に、予め定められた条件に基づいて各々取得された球ルートに対応するポイントテーブル７ｃ４を参照し、このポイントテーブル７ｃ４に表された経過時間対応の（経過時間に対応づけて設定された）遊技球の位置座標に従って各遊技球を移動表示させる手段である。ここで予め定められた条件とは、本実施形態では球属性を決定するための諸要件であり、基本的には遊技球の発射強度であるが、詳細は後述する。
球ルートの取得は、本実施形態では、図４に示す主制御装置６のコマンド送信手段６ｆからの遊技球発射コマンドＳ１中の球属性に応じた複数種類の球ルート中からの選択によりなされる。
【００２４】
球ルートは、各遊技球が上記遊技盤面上の遊技領域４１に打ち込まれた後における入賞口４４〜４９又はアウト口５５（図３参照）に入球するまでの道筋を表す位置座標データ群からなり、上記ポイントテーブル７ｃ４に設定されている。
なお、球ルートは遊技球中心位置のルートを指す。また入球とは、遊技球が入賞口４４〜４９やアウト口５５に入ることを指すが、映像式遊技機においては、遊技球、入賞口４４〜４９及びアウト口５５は画像で表示されているので、具体的には、入賞口４４〜４９やアウト口５５の位置、つまり球ルート終点で遊技球の表示が終了し、その遊技球が盤面画像上から消滅することを指す。
【００２５】
以下、図６に図１、図４及び図５を併用して、上記遊技球の発射強度、球属性（遊技球の消滅位置、生存時間）、遊技球発射コマンドＳ１、及び球属性別の球ルートテーブル７ｃ３の関係について説明する。
まず球属性のうち、遊技球の消滅位置は、主制御装置６の球属性決定手段６ｅにより遊技球の発射強度に基づいて決定される。ここでは、遊技球の消滅位置が、０から９９９９までの数値をエンドレスで繰り返しカウントする消滅位置決定用カウンタ（図示せず）を用い、このカウンタの上記発射ＯＮ信号生成時のカウント値と上記遊技球の発射強度に基づいて決定される。
【００２６】
球属性のうち、遊技球の生存時間は、図７にも示すように一定の幅をもつが、その幅内の特定の生存時間が上記遊技球の消滅位置に応じて決定される。図６に示すように、同一消滅位置の中にも更に異なる値の生存時間を複数種類設定してもよく、この場合は、その複数種類の中の１種類の消滅位置を順次又はランダムに決定する。
このように決定された球属性は、遊技球発射コマンドＳ１に含められて主制御装置６のコマンド送信手段６ｆから送信される。図６に示す例において、頭文字「ＣＭ」が付された４桁の数字は各々球属性を含む遊技球発射コマンドＳ１を表す。
【００２７】
球属性別の球ルートテーブル７ｃ３は、画像表示制御装置７のＲＯＭ７ｃに格納されている。この球ルートテーブル７ｃ３は、主制御装置６のコマンド送信手段６ｆから送信されてくる遊技球発射コマンドＳ１、換言すれば球属性と、画像表示制御装置７が盤面画像上に移動表示する遊技球のルート、つまり球ルートとの対照表である。
【００２８】
球ルートは、図６に示す例においては頭文字「ＲＴ」が付された４桁の数字で表されているが、具体的には遊技球が遊技領域４１に打ち込まれてから消滅するまでの経過時間対応の、ここでは単位時間毎、例えば１６ｍｓｅｃ（約１／６０秒）毎の位置座標データの集合（位置座標データ群）からなる。
【００２９】
各球ルートの位置座標データ群は、上述したようにポイントテーブル７ｃ４に設定されており、上記「ＲＴ」が付された４桁の数字で表された球ルートが画像表示制御装置７において特定されると、遊技球移動表示手段７ｈはその球ルートに対応するポイントテーブル７ｃ４を参照する。そして遊技球移動表示手段７ｈは、参照されたポイントテーブル７ｃ４に表された位置座標データ群を読み込み、単位時間経過毎の遊技球の位置座標に従い各遊技球を移動表示させる。
なお、図６に例示する球属性はその一部を示し、また球属性別の球ルートテーブル７ｃ３も一部を例示している。
【００３０】
上記位置座標データは、例えば遊技盤面を含む画像表示器５の画像表示面をＸ，Ｙ平面とし、図３中の左右方向にＸ軸、上下方向にＹ軸をとり、同画像表示面の図３中の左下隅部を基準位置、つまりＸ＝０，Ｙ＝０として表す。
本実施形態では、遊技盤面に直交する、遊技盤面の前面側（遊技者側）の方向にＺ軸をとり、位置座標データをＸ，Ｙ，Ｚの三次元座標で表しているので、上記基準位置の位置座標（Ｘ，Ｙ，Ｚ）は（０，０，０）で表される（後掲図８参照）。
【００３１】
遊技者が、図１に示す発射操作部３３を時計方向にある操作量、例えば角度３５°〜４５°までの間の角度θｘに回動操作した場合、図４に示す主制御装置６は角度θｘに応じた値を発射操作量として取得し、同装置６内の球属性決定手段６ｅはその発射操作量に応じて遊技球の発射強度Ｆｘを求める。
そして、この球属性決定手段６ｅは、発射強度Ｆｘに対応する遊技球消滅位置Ｐｘを、上記消滅位置決定用カウンタを用いて抽選により求め、続いて、この消滅位置Ｐｘ（詳しくは発射強度Ｆｘ及び消滅位置Ｐｘ）から、各消滅位置までの遊技球生存時間Ｔｘを求める。
【００３２】
主制御装置６のコマンド送信手段６ｆは、球属性決定手段６ｅで決定された遊技球消滅位置Ｐｘ及び生存時間Ｔｘからなる球属性を含む遊技球発射コマンドＳ１を画像表示制御装置７に送信する。
遊技球発射コマンドＳ１は発射される遊技球毎に図５に示す画像表示制御装置７に送信されるが、画像表示制御装置７はこの遊技球発射コマンドＳ１を受信する毎に、各遊技球発射コマンドＳ１中の球属性に応じた球ルートを遊技球消滅位置・生存時間別の球ルートテーブル７ｃ３から読み出す（取得する）。
画像表示制御装置７の遊技球移動表示手段７ｈは、読み出した球ルートに対応するポイントテーブル７ｃ４を参照し、そのポイントテーブル７ｃ４に表された位置座標データ群を読み込んで各遊技球を移動表示させる。
【００３３】
ここで、本実施形態における位置座標データ及びポイントテーブル７ｃ４について説明する。
図８は、上記遊技盤面上の位置座標（Ｘ，Ｙ）が（０，０）〜（５００，５００）の範囲で表され、かつＸ，Ｙ平面（Ｚ＝０）からの上記透明板体の位置Ｚの値が１９に設定された三次元空間と、盤面構成部材３９，４２〜５６、遊技球５７との関係を示す図である。Ｘ，Ｙ，Ｚの各数値の単位はｍｍである。
この図に示す三次元空間内において、盤面構成部材３９，４２〜５６や遊技球５７の位置が特定される。
すなわち、本実施形態において遊技球５７の位置は、図８に示す三次元空間内における遊技盤面上の位置座標（Ｘ，Ｙ，Ｚ）で表される。なお、遊技球５７の直径は、ここでは１１ｍｍに設定されている。
【００３４】
図９は、ある球ルートの位置座標データ群が設定されたポイントテーブル７ｃ４の具体例を示す図で、図示するようにポイントテーブル７ｃ４には、単位時間経過毎の遊技球の位置座標Ｐ（Ｘ，Ｙ，Ｚ）が表されている。
なお単位時間は、この例では１６ｍｓｅｃに設定されているので、発射からの経過時間Ｔは１６の倍数になっている。一例として、遊技球の位置座標Ｐ０，Ｐ１２，Ｐ２４，Ｐ３６，Ｐ４８，Ｐ６０，Ｐ７２，Ｐ８４…が、各々図８中に示されている。うち、Ｐ０，Ｐ１２，Ｐ６０，Ｐ７２，Ｐ８４については、図９中にその位置座標Ｐ（Ｘ，Ｙ，Ｚ）の詳細が表されている。
【００３５】
ここで本実施形態においては、図９から分かるように、ポイントテーブル７ｃ４には衝突情報欄９１が付加されている。
この衝突情報欄９１には、単位時間経過毎の遊技球の位置座標Ｐに応じて、上記盤面構成部材３９，４２〜５６（図３、図８参照）又は透明板体への遊技球５７（図９参照）の衝突の有無情報と、衝突有の場合におけるその衝突位置座標に位置する上記盤面構成部材３９，４２〜５６又は透明板体に応じた衝突音選択情報Ｓ１１とを含む衝突情報が表される。
【００３６】
図９に示す例では、上記衝突の有無情報は衝突フラグのＯＮ（＝１）／ＯＦＦ（＝０）で表している。衝突フラグＯＮ（＝１）で衝突有、衝突フラグＯＦＦ（＝０）で衝突無を表す。衝突音選択情報Ｓ１１は実衝突模倣音の種類を表す情報であり、この例では、１は遊技釘５６、２はセンタ飾り４２、３は上記透明板体との、各実衝突模倣音を表す。なお、衝突音選択情報Ｓ１１において、０は無音（音選択なし）を表す。
ここで実衝突模倣音とは、実遊技機における盤面構成部材や透明板体へ実際の遊技球が衝突して発生する実遊技球衝突音を模した衝突音であり、実遊技機において衝突する盤面構成部材や透明板体の材質の種類、具体的には金属材か、合成樹脂材か、あるいはガラス材か等によって異なる音となる。
この衝突音選択情報Ｓ１１は、図１、図２に示すように、画像表示制御装置７から音声制御装置８に与えられる。
【００３７】
音声制御装置８は、遊技中に種々の効果音や合成音声を後述するスピーカ等の音声出力装置から発生させる装置で、図１０に示すように、例えば音声合成処理装置８ａ、ＲＡＭ８ｂ、ＲＯＭ８ｃ、入力インタフェース８ｄ、Ｄ／Ａ変換器８ｅ及びアンプ８ｆを備えて構成される。この場合、ＲＯＭ８ｃには制御プログラム、音声合成用データ群及びその他のデータ群が格納されている。
音声制御装置８は、音声合成処理装置８ａ中のＣＰＵ（図示せず）がＲＡＭ８ｂを作業域として用い、ＲＯＭ８ｃ中のデータ群を適宜読み出して同ＲＯＭ８ｃ中の制御プログラムを実行し、上述した効果音や合成音声の発生制御を行う。
【００３８】
本実施形態では、音声制御装置８は、上記画像表示制御装置７（遊技球移動表示手段７ｈ）により移動表示されている遊技球が、上記ポイントテーブル７ｃ４中の衝突情報欄９１に衝突有（衝突フラグ＝１）と表された位置座標に到達した時、つまり衝突時に、その衝突情報欄９１中の衝突音選択情報Ｓ１１に応じた種類の実衝突模倣音を後述スピーカから発生させる。
【００３９】
説明を図１に戻すと、可動枠３には、その前面に前面飾り枠１１がヒンジ４によって片開き可能に取り付けられる。
前面飾り枠１１は丸形開口部１２を備え、この丸形開口部１２は、前面飾り枠１１の裏側に設けられた無色透明のガラス又は合成樹脂からなる画像表示器保護用のパネル１３で塞がれる。
丸形開口部１２を囲む前面飾り枠１１の前面部には、カード挿入口１４、貸出操作機構１５、返却操作機構１６、精算操作機構１７、発射操作機構１８、持ち球数表示器１９、放音口部２０等を備える。
【００４０】
カード挿入口１４は遊技者がプリベイドカード等の遊技媒体（以下、カードという。）２２を挿入するスリット状の口である。カード挿入口１４の裏側には、カード検出器２３、カード搬送機構２４、情報読取器２５及び情報書替器２６が、前面飾り枠１１の裏部等に取り付けられた状態で位置する。貸出操作機構１５は、遊技者により操作される貸出操作部２７と、この貸出操作部２７によりＯＮ／ＯＦＦ動作する貸出スイッチ２８とを備える。
【００４１】
返却操作機構１６は、遊技者により前面飾り枠１１の前側から操作される返却操作部２９と、この返却操作部２９によりＯＮ／ＯＦＦ動作する返却スイッチ３０とを備える。精算操作機構１７は、遊技者により前面飾り枠１１の前側から操作される精算操作部３１と、この精算操作部３１によりＯＮ／ＯＦＦ動作する精算スイッチ３２とを備える。
【００４２】
発射操作機構１８は、遊技者により前面飾り枠１１の前側から回動操作される発射操作部（発射レバー）３３と、この発射操作部３３の操作により動作する可変抵抗器３４と、遊技者により前面飾り枠１１の前側から操作される発射停止操作部３５と、この発射停止操作部３５によりＯＮ／ＯＦＦ動作する発射停止スイッチ３６とを備える。また発射操作機構１８は、遊技者が発射操作部３３に触れているか否かを検出するタッチセンサ（図示せず）を備える。
上記持ち球数表示器１９は、数値表示面が前面飾り枠１１の前側から見えるように、前面飾り枠１１又は可動枠３に取り付けられる。また、放音口部２０の裏部にはスピーカ３７が取り付けられる。
【００４３】
以下、上述実施形態の一般的な動作について、主に図１、図３〜図５を参照しつつ説明する。
まず、主制御装置６、画像表示制御装置７、音声制御装置８及びカード制御装置９が、遊技機枠１に設けられた電源装置（図示せず）から直流電源が供給され起動されると、主制御装置６の制御に基づき画像表示制御装置７が画像表示器５を制御して、この画像表示器５に盤面画像を表示させる。
この盤面画像は、上述したように各種の盤面構成部材３９、４２〜５６等を表す画像からなる（図３参照）。
【００４４】
いま、遊技者が金額情報の書き込まれたカード２２をカード挿入口１４に挿入すると、カード検出器２３がカード検出信号をカード制御装置９に出力し、カード搬送機構２４を引込制御する。これにより、カード２２が搬送され、情報読取器２５がカード２２の金額情報を読み取ってカード制御装置９に出力する。
【００４５】
その後、遊技者が貸出操作部２７を操作して借り出す球数に相当する投資金額を入力すると、入力された投資金額に相当する投資金額情報が貸出信号として貸出スイッチ２８からカード制御装置９に出力される。カード制御装置９は、貸出スイッチ２８からの貸出信号に対応する投資金額情報を演算し、カード２２から読み取って記憶しておいた金額情報（カード読取金額情報）が上記投資金額情報以上であるか否かを判定する。
【００４６】
次にカード制御装置９は、上記カード読取金額情報が投資金額情報以上である場合には投資金額情報をそのまま、投資金額情報未満である場合には上記カード読取金額情報を投資金額情報として、主制御装置６に出力する。主制御装置６は、カード制御装置９から出力された投資金額情報に応じた球数情報を持ち球数表示器１９に出力し、この持ち球数表示器１９が球数情報に相当する球数を数値表示する。
【００４７】
具体的には、貸出スイッチ２８の１回の貸出信号が５００円に相当するとした場合、カード２２には５００円の整数倍の金額情報が書き込まれている。そして、カード挿入口１４に挿入されたカード２２に、例えば１０００円の金額情報が書き込まれている場合であって、遊技者が、貸出操作部２７を１回操作した場合には５００円に、２回操作した場合には１０００円に、相当する球数を持ち球数表示器１９に表示する。カード２２に、５００円の金額情報が書き込まれていて、遊技者が、貸出操作部２７を２回操作した場合には、２回の操作に拘わらず５００円に相当する球数を持ち球数表示器１９に表示する。
なお、カード読取金額情報を度数情報としてカード制御装置９に接続された度数表示器（図示せず）に表示するようにしてもよい。
【００４８】
持ち球数表示器１９による球数表示と並行して、カード制御装置９は、上記カード読取金額情報から貸出としての球数情報に対応する投資金額情報を減算して情報書替器２６を制御し、カード２２の金額情報を上記減算の結果の残額情報に書き替える。
残額情報が「０」の場合、カード制御装置９はカード搬送機構２４を戻し制御する。遊技者が返却操作部２９を操作すると、カード制御装置９は、返却スイッチ３０から返却信号を受けてカード搬送機構２４を戻し制御する。
これらの戻し制御によって、カード搬送機構２４はカード２２を搬送してその一部をカード挿入口１４から突出させ、カード２２を遊技機枠１から取り出し可能とする。
【００４９】
持ち球数表示器１９が球数を表示した状態において、遊技者が発射操作部３３を操作すると、図示しないタッチセンサがＯＮすると共に、可変抵抗器３４が発射操作部３３の操作量に応じた可変抵抗値を主制御装置６に出力する。なお、発射停止操作部３５は操作されてなく、発射停止スイッチ３６はＯＦＦしているものとする。
【００５０】
主制御装置６は、発射操作部３３の操作量がいわゆる遊びの範囲を超えているか否か、具体的には可変抵抗器３４の可変抵抗値が一定値以上か否かによる発射可否の判定を行う。主制御装置６は、判定結果が発射可である場合には、１分間当たり例えば１００個の割合で発射ＯＮ信号を生成すると共に、この発射ＯＮ信号毎に、その信号生成時の上記可変抵抗値、換言すれば発射操作部３３の操作量を取得する。
【００５１】
また主制御装置６は、画像表示器５に画像として描かれる遊技球が発射表示されてから遊技領域４１をどのようなルートで流下、移動させるかについての基本的な情報となる球属性を上記発射ＯＮ信号毎、つまり発射操作部３３の操作により発射される遊技球毎に決定する。
【００５２】
上記球属性は、主制御装置６に備わる球属性決定手段６ｅにより決定される。
すなわち球属性決定手段６ｅは、発射操作部３３の操作量に応じて遊技球の発射強度を求め、この発射強度に基づき、発射される遊技球の盤面画像上の消滅位置を求め、これを球属性として決定する。球属性決定手段６ｅは、遊技球の生存時間も発射強度に基づいて求め、これも球属性として決定する。
【００５３】
図７に、発射強度に基づいて求められる生存時間の一例を示す。ここでは、発射強度に基づいて求められる生存時間が一定の幅をもつ例が示されている。
遊技球の生存時間を、遊技球の発射強度に基づくものではあるが、直接的には上記消滅位置に応じて求めたものであってもよい。
【００５４】
上記発射強度は、遊技球の発射の強さを表す情報であり、上述したように遊技球の消滅位置及び生存時間を求める基本的な情報として用いられる。
遊技球の消滅位置は、入賞口４４〜４９に入賞（入球）するか、入賞するときはどの入賞口に入賞するか、又は入賞せずにアウト口５５に入球するかを表す入球位置に係る球属性である。遊技球（遊技球画像）は入賞口４４〜４９への入賞、又はアウト口５５への入球時にその表示が終了し、盤面画像上から消滅する。
遊技球の生存時間は、発射操作部３３が操作され、遊技球が発射されてから消滅するまで、つまり盤面画像上に表示が開始されてから終了するまでの時間に係る球属性である。
【００５５】
上記球属性決定手段６ｅにより決定された各球属性を含む遊技球発射コマンドＳ１はコマンド送信手段６ｆから画像表示制御装置７に送信される。
画像表示制御装置７は、コマンド送信手段６ｆからの遊技球発射コマンドＳ１を受信して同コマンドＳ１中の上記２つの球属性に基づき各遊技球のルート、つまり球ルートを選択し、その球ルートで各遊技球を画像表示器５に表示された盤面画像上に移動表示させる。
【００５６】
球ルートは、遊技球が発射されガイドレール３９に沿って遊技領域４１の上部に打ち込まれた後、落下移動しながらセンタ飾り４２、風車５１，５３、サイドランプ５４、多数の遊技釘５６…等に当たり、あるいはゲート５１を通過して、入賞口４４〜４９の何れかに入賞し、又は非入賞となってアウト口５５に入球するまでの道筋を表す位置座標データ群からなる情報で、ポイントテーブル７ｃ４に設定されている。
【００５７】
入賞は、画像表示器５に表示された盤面画像における遊技領域４１を落下移動する遊技球が一般入賞口４４〜４８（図示例では開閉体５０が閉じているので大入賞口４９は含まない。）の何れかに入球することを表す情報である。
非入賞は、画像表示器５に表示された盤面画像における遊技領域４１を落下移動する遊技球が入賞口４４〜４９の何れにも入賞しないでアウト口５５に入球することを表す情報である。
なお、始動入賞口４８への入球時、つまり入賞として始動入賞情報が決定された場合だけ、当たり／外れ情報が決定される。
【００５８】
当たり／外れ情報は、主制御装置６において、入賞として始動入賞情報が決定されたタイミングで図示しない大当たり抽選用カウンタからカウント値を取得し、このカウント値を、同カウンタの全カウント値と大当たり／外れ値とを対応付けた抽選テーブルに照合（大当たり抽選）して決定される。
決定された当たり／外れ情報（抽選結果）はＲＡＭ６ｂに記憶される。これによりＲＡＭ６ｂに記憶される抽選結果は、大当たり又は外れの何れか１つである。
【００５９】
主制御装置６は、上記発射ＯＮ信号毎に球数情報を減算し、この減算した球数情報を持ち球数表示器１９に出力すると共に、上述したように各球属性を含む遊技球発射コマンドＳ１を上記発射ＯＮ信号毎に作成して画像表示制御装置７に送信し、画像表示制御装置７で画像表示器５を制御させる。
この制御によって、画像表示器５は遊技球動画像（球ルートに沿って移動する遊技球画像）を表示する。
この遊技球動画像は、遊技球が１分間当たり１００発の割合で盤面画像中の発射通路４０から遊技領域４１に打ち込まれ、この遊技領域４１を流下、移動する動画像である。
【００６０】
持ち球数表示器１９は、主制御装置６からの減算した球数情報に相当する球数を数値表示する。つまり、持ち球数表示器１９で表示された数値は、遊技球が発射される毎に減算した数値となる。
そして、遊技領域４１に打ち込まれた遊技球が一般入賞口４４〜４７に入賞して画像表示器５に表示された盤面画像中から消滅すると、主制御装置６は、一般入賞口４４〜４７に対応する定数の賞球数情報をその時点における球数情報に加算した加算球数情報を、持ち球数表示器１９に出力し、持ち球数表示器１９が加算球数情報に相当する球数を数値表示する。
これにより、持ち球数表示器１９で表示された数値は、遊技球が発射される毎に減算した数値と一般入賞口４４〜４７に対応する定数の賞球数との加算された数値となる。
【００６１】
遊技領域４１に打ち込まれた遊技球が始動入賞口４８に入賞して画像表示器５に表示された盤面画像中から消滅すると、主制御装置６は、図柄変動開始コマンド及び上記大当たり抽選で決定された当たり情報又は外れ情報を内容とするコマンドを画像表示制御装置７に送信し、画像表示制御装置７が画像表示器５を制御する（盤面画像における表示制御を行う）。
この制御によって、画像表示器５は、図柄表示部４３に複数の図柄の変動表示を開始し、所定時間後、主制御装置６から画像表示制御装置７に送信された上記大当たり抽選で決定された当たり情報又は外れ情報を反映するように、図柄表示部４３における複数の図柄の変動表示を終了し、図柄を停止させる。
【００６２】
この図柄停止によって、図柄表示部４３に表示される図柄は、上記大当たり抽選で決定された情報が当たり情報である場合には例えば「３３３」、「７７７」のように同一の数値が一列に並んだ表示形態となり、上記大当たり抽選で決定された情報が外れ情報である場合には例えば「１３３」、「７６７」のように異なる数値が一列に並んだ表示形態となる。
【００６３】
図柄表示部４３における図柄の停止した表示形態が当たりの形態、つまり停止図柄が大当たり図柄である場合には、主制御装置６が開閉体５０を開けるための開情報を内容とするコマンドを画像表示制御装置７に送信し、これを受けた画像表示制御装置７が画像表示器５を制御する。この制御によって、画像表示器５は大入賞口４９の動作画像を表示する。
【００６４】
この大入賞口４９の動作画像は、大入賞口４９の開閉体５０が下辺を支点として垂直に閉じた状態から斜め前方に開く動画像である。このようにして開閉体５０が開放すると、大入賞口４９には、より多くの、つまり他の一般入賞口４４〜４７に比べて多くの遊技球の入賞が可能となる。
【００６５】
開閉体５０の開放中に、遊技領域４１から遊技球が大入賞口４９に入賞して画像表示器５に表示された盤面画像から消滅すると、主制御装置６は、大入賞口４９に対応する定数の賞球数情報をその時点における球数情報に加算した加算球数情報を、持ち球数表示器１９に出力し、持ち球数表示器１９が加算球数情報に相当する球数を数値表示する。つまり、持ち球数表示器１９で表示された数値は、大入賞口４９への入賞時点の数値と大入賞口４９に対応する定数の賞球数との加算された数値となる。
【００６６】
遊技領域４１から大入賞口４９に入賞した遊技球は、大入賞口４９の内部に設定された普通領域又はＶゾーンと称される特定領域（共に図示せず）に入賞するようになっている。また、主制御装置６は、開閉体５０の開放開始からの経過時間をカウントアップすると共に、大入賞口４９に入賞した遊技球が大入賞口４９の普通領域に入賞した場合に、その普通領域に入賞した数値をカウントアップする。
【００６７】
上記カウントアップした経過時間が設定開放時間に到達するか、又はカウントアップした普通領域への入賞個数が例えば１０個のような設定入賞個数に到達するかの何れか一方の条件が充足すると、主制御装置６は開閉体５０を閉じるための閉情報を内容とするコマンドを画像表示制御装置７に送信し、画像表示制御装置７が画像表示器５を制御する。この制御によって、画像表示器５は大入賞口４９の動作画像を表示する。この大入賞口４９の動作画像は、大入賞口４９の開閉体５０が下辺を支点として斜め前方から図３に示す垂直状態に閉じる動画像である。
【００６８】
この開閉体５０が開いてから閉じるまでの間において、大入賞口４９に入賞した遊技球が大入賞口４９の特定領域に入賞した場合、主制御装置６は上記開閉体５０の１回の開閉を再び行う大当たり継続情報をコマンドとして画像表示制御装置７に送信すると共に、特定領域に入賞した数値をカウントアップする。
この大当たり継続情報を画像表示制御装置７が受け取った場合、画像表示制御装置７は上記開閉体５０の１回の開閉が終了した後に画像表示器５を再び制御する。この制御によって、画像表示器５は大入賞口４９の開閉体５０が下辺を支点として斜め前方に開く形態の動画像を表示する。
【００６９】
この開閉体５０が再び開閉する大当たりの継続は、カウントアップした特定入賞個数が例えば１６回のような設定継続回数に到達するまで行われる可能性がある。開閉体５０の１回の開閉中において特定領域への入賞がなければ、その回で大当たりの継続が終了することから、開閉体５０の開閉が継続する回数は可能性にとどまる。
【００７０】
遊技者が遊技を終了する場合、遊技者が精算操作部３１を操作する。これによって、精算スイッチ３２が精算信号をカード制御装置９に出力し、カード制御装置９が精算信号を主制御装置６に出力する。
これにより主制御装置６は、持ち球数表示器１９に表示されている球数に相当する球数情報をカード制御装置９に出力すると共に、持ち球数表示器１９の数値を「０」となるように持ち球数表示器１９を制御する。
【００７１】
カード制御装置９は、遊技機枠１の内部に取り込まれているカード２２の金額情報に主制御装置６から入力された球数情報に対応する金額情報を加算した後、情報書替器２６を制御する。この制御によって、情報書替器２６が遊技機枠１の内部に取り込まれているカード２２の金額情報を上記加算した金額情報に書き替える。
その後、カード制御装置９がカード搬送機構２４を戻し制御し、金額情報の書き替えられたカード２２がカード挿入口１４から前側に吐き出される。
【００７２】
次に、本実施形態において、図１に示す発射操作部３３が操作されてから遊技球が盤面画像上に表示され、その後、盤面画像上から消滅、つまり表示が終了するまでの一連の処理動作を図１１〜図１２のフローチャートを参照して説明する。
【００７３】
まず、図１１に図１及び図４を併用して主制御装置６における遊技球の発射処理（１発毎の発射処理）について説明すると、ステップ５０１では、発射操作機構１８が遊技球を発射できる状態になっているか否かを判定する。
すなわち、発射操作部３３のタッチセンサ（図示せず）がＯＮ、発射停止スイッチがＯＦＦ、更に発射操作部３３の操作量が遊びの範囲を超えているか否かを判定する。遊技者が実際に遊技球を発射するために発射操作部３３を操作しているか否かを判定するためである。ステップ５０１の判定結果がＮｏ（否定）であれば発射処理を終了し、Ｙｅｓ（肯定）であれば次ステップ５０２に進む。
【００７４】
ステップ５０２では前回の発射から一定時間経過しているか否かを判定する。これは１分間に例えば１００発を超えて発射されないようにするためで、一定時間とはここでは０．６秒である。ステップ５０２で一定時間経過していないと判定されれば発射処理を終了する。つまり、主制御装置６は、遊技球の発射に関しては何の処理もしない。一定時間経過していると判定されれば処理をステップ５０３に移す。
【００７５】
ステップ５０３では、持ち球数があるか（持ち球数表示器１９が表示する球数が１以上か）否かを判定する。判定結果がＮｏであれば、空打ち音を発生させるためのコマンドを音声制御装置８に送信し（ステップ５０４）、スピーカ３７から空打ち音を発生させて発射処理を終了する。判定結果がＹｅｓであれば球属性決定手段６ｅにより球属性を決定する（ステップ５０５）。
【００７６】
ここでは、発射操作部３３の操作量に応じて遊技球の発射強度が求められ、この発射強度に基づいて遊技球の消滅位置が求められ、これら発射強度及び消滅位置に基づいて遊技球の生存時間が求められる。そして、これら遊技球の消滅位置及び生存時間が球属性とされる。
【００７７】
球属性が決定されると、ステップ５０６に移行し、決定された球属性を含んだ遊技球発射コマンドＳ１をコマンド送信手段６ｆから画像表示制御装置７に送信し、発射処理を終了する。
以上の処理は、発射操作部３３の操作により発射される遊技球毎に行われる。
【００７８】
図１２は、図１に示す画像表示制御装置７による表示処理を説明するためのフローチャートである。以下、この図１２に図１及び図５を併用して画像表示制御装置７による表示処理を説明する。
【００７９】
まず、ステップ６０１において、画像表示制御装置７は、主制御装置６からの各種のコマンドを受信する。このコマンドには、図１１中のステップ５０６で送信された、球属性を含む遊技球発射コマンドＳ１の他、図柄変動開始コマンド、当たり情報又は外れ情報や開閉体５０を開け又は閉じるための情報を内容とするコマンド等の演出表示制御用コマンドがある。
遊技球発射コマンドＳ１は、発射球毎に画像表示制御装置７で受信され、その他の演出表示制御コマンドは、主制御装置６が制御する遊技状態に応じて送信された際に受信される。
【００８０】
ステップ６０２では、受信した遊技球発射コマンドＳ１中の球属性に基づいた球ルートを生成し、ここでは球ルートテーブル７ｃ３（図６参照）から球ルートＲＴを読み出し、その球ルートＲＴに応じた位置座標で遊技球を画像表示器５に表示させる。
具体的には、図５に示すＣＰＵ７ａが上記球ルートテーブル７ｃ３から読み出した球ルートＲＴに基づき、次のフレーム更新時に移動する遊技球の位置座標をＧＰＵ７ｄが読み出し、あるいは位置座標を補間法により求める等、必要に応じて演算を行い、ビデオＲＡＭ７ｅに書き込む。
【００８１】
ステップ６０３では、ステップ６０２における処理が終了したか否かを判定する。未終了の場合はステップ６０３の処理を繰り返し、終了していればステップ６０４を実行する。
盤面画像に複数個の遊技球が表示される場合には、上述した表示処理は同時並行して行われる。このような場合、ステップ６０３における判定は、上記複数個の遊技球の全ての位置についてステップ６０２における処理が終了したか否かの判定となり、終了していればステップ６０４を実行する。
【００８２】
ステップ６０４では、盤面画像における大入賞口（役物）４９の開閉体５０の開閉動や図柄変動等、特別遊技状態あるいは特別遊技状態を招来させ得る遊技状態への演出表示制御を行う。
ステップ６０５では、ステップ６０４で行った表示制御以外の、例えば盤面画像におけるサイドランプ５４や、図示しないが前面飾り枠１１の前面部に取り付けられた電飾等の点消灯制御（一般演出制御処理）を行う。
ステップ６０６では、ステップ６０２、６０４、６０５の処理（制御）結果を合成して画像表示器５に描画、つまり表示させる。
【００８３】
ステップ６０１〜６０６は、一定周期で繰り返されるので、画像表示器５には、大入賞口４９の開閉体５０の開閉動、図柄変動、サイドランプ５４点滅等の様々な演出表示がされる盤面画像上に遊技球（画像）が重ねて移動表示される。
画像表示制御装置７によるステップ６０４，６０５の処理時、音声制御装置８は、同ステップ６０４，６０５の処理と並行して、かつ同処理に合わせて、つまり特別遊技状態等にかかる演出制御処理か一般演出制御処理かに合わせて、種々の効果音、合成音声をスピーカ３７から発生させる。
【００８４】
本実施形態では、音声制御装置８は、画像表示制御装置７により移動表示されている遊技球が、図９に示すポイントテーブル７ｃ４中の衝突情報欄９１に衝突有（衝突フラグ＝１）と表された位置座標に到達した時、つまり衝突時に、実衝突模倣音をスピーカ３７から発生させる。発生させる実衝突模倣音としては、上記衝突情報欄９１中の衝突音選択情報Ｓ１１に応じた種類の実衝突模倣音が選択される。
【００８５】
以下、この実衝突模倣音発生動作の詳細を図１及び図８〜図１０を参照して説明する。
いま、予め定められた条件に基づき、本実施形態では主制御装置６において決定された球属性に基づき、画像表示制御装置７で特定の球ルートＲＴｘ００１が取得されたものとし、図９はこの球ルートＲＴｘ００１のポイントテーブル７ｃ４の内容を表すものとする。
【００８６】
この球ルートＲＴｘ００１は、図８においてはＰ０→Ｐ１２→Ｐ２４→Ｐ３６→Ｐ４８→Ｐ６０→Ｐ７２→Ｐ８４…を経てアウト口５５に至る曲線で表されている。
図８中の位置座標Ｐ０（１５，２５０，５．５）は、発射後０ｍｓｅｃ、つまり発射時の遊技球（画像）５７の位置である。遊技球５７は、その後、Ｐ１２（３８，３４７，５．５）→Ｐ２４→Ｐ３６→Ｐ４８→Ｐ６０（２２３，４１２，７．５）→Ｐ７２（２２０，３７０，１４．０）→Ｐ８４（１９６，３４３，７．５）…と位置座標を変えて行く。つまり、流下、移動して行く。
【００８７】
なお、実際の球ルートは、図８中の球ルートＲＴｘ００１に示すような滑らかな曲線でないのが一般的である。遊技球５７の移動途中においては衝突が起こるが、衝突が起こる毎にその直後において遊技球５７の移動方向に細かな曲折が生じるのが一般的である。したがって、そのような衝突位置近傍においては実際には細かな曲折が設定されているが、図示球ルートＲＴｘ００１は、このような細かな曲折が省略されて描かれている。
【００８８】
ここで、各位置座標Ｐ（Ｘ，Ｙ，Ｚ）における衝突音選択情報Ｓ１１は画像表示制御装置７から音声制御装置８に与えられている。図９に示す例によれば、位置座標Ｐ０，Ｐ１２，Ｐ６０，Ｐ７２，Ｐ８４について、順に０、０、１、３、２を内容とする衝突音選択情報Ｓ１１が音声制御装置８に与えられている。
位置座標Ｐ０，Ｐ１２について、衝突音選択情報Ｓ１１が０、０であるのは、図８から分かるように、衝突が発生しないか、実衝突模倣音を発生させる程の衝突状態にないからである。位置座標Ｐ６０，Ｐ８４について、衝突音選択情報Ｓ１１が１、２であるのは、図８から分かるように、各々衝突が起こるからである。位置座標Ｐ７２について、衝突音選択情報Ｓ１１が３であるのは、図９中のＺ座標（＝１４．０）から分かるように、衝突が起こるからである。図９中の衝突フラグ＝１はこれを表している。
【００８９】
すなわち遊技球５７は、位置座標Ｐ６０においては遊技釘５６に衝突し、位置座標Ｐ８４においてはセンタ飾り４２に衝突する。
位置座標Ｐ７２においては、遊技球５７はＺ座標＝１９に設定された透明板体（実遊技機の前面ガラス板に相当する透明板体）に衝突する。この位置座標Ｐ７２のＺ座標は図９から１４．０であり、Ｚ軸方向においてＺ座標＝５．５（遊技盤面に遊技球５７が接触している状態）にある遊技球５７と上記透明板体との間において遊技球５７が移動できる最大範囲（１９−１１＝８）を超えた値になっているからである。なお、遊技球５７の位置座標は遊技球中心位置を基準としている。
【００９０】
本実施形態においては、衝突対象が遊技釘５６（金属材）の場合には１が、センタ飾り４２（合成樹脂）の場合には２が、透明板体（ガラス材）の場合には３が、各々衝突音選択情報Ｓ１１の内容をなすように設定されている。衝突音選択情報Ｓ１１が０の場合には実衝突模倣音を発生しないように設定されている。
【００９１】
以上により音声制御装置８は、位置座標Ｐ０，Ｐ１２については実衝突模倣音を音声合成処理装置８ａで生成せず、スピーカ３７から発生させない。
また音声制御装置８は、位置座標Ｐ６０については遊技釘５６への実衝突模倣音を、位置座標Ｐ７２については透明板体（前面ガラス板）への実衝突模倣音を、更に、位置座標Ｐ８４についてはセンタ飾り４２への実衝突模倣音を、各々音声合成処理装置８ａにおいて生成し、スピーカ３７から発生させる。
これによれば、遊技球５７の衝突対象（障害物）に応じて、その衝突対象への実遊技球衝突音を模した実衝突模倣音の発生を具体的に実現可能で、しかも、単に実現可能であるばかりでなく、効果音の観点から、より一層実遊技機による遊技に近づけることができる。
【００９２】
なお、画像表示器５に表示される盤面画像は、図３に示す態様に限定されない。図３に示す態様は第１種パチンコ機を模したものであるが、本発明はこれ以外のパチンコ機、その他の弾球遊技機にも適用可能である。
【００９３】
また図１においては、主制御装置６は、その制御対象として画像表示制御装置７及び音声制御装置８を備えた場合について示したが、実際には、これらの装置７，８の他、前面飾り枠１１に取り付けられた電飾（図示せず）等を制御するランプ制御装置も備える。つまり主制御装置６は、盤面画像の表示や、表示された盤面画像における遊技状態の制御、音声による演出制御の他、電飾による演出制御も可能である。
【００９４】
図１に示す主制御装置６が制御する遊技状態には、例えば図３に示す大入賞口４９の開閉体５０が開いて、より多くの賞球が獲得可能となる特別遊技状態や図柄表示部４３による図柄の変動表示状態、その他、上記特別遊技状態を招来させ得る遊技状態等がある。
主制御装置６は、このような遊技状態を、画像表示制御装置７による盤面画像における演出表示制御によって現出させ、同時に上記音声や電飾による演出制御も加えて遊技者を楽しませている。遊技状態の制御には、その状態の開始、継続、終了の各制御を含む。
【００９５】
上述実施形態では、図１、図２に示すように、音声制御装置８を画像表示制御装置７から独立して設けたが、この画像表示制御装置７中に組み込んで一体化してもよく、これによればＣＰＵ、ＲＯＭ及びＲＡＭ等は一組で済む。
【００９６】
また上述実施形態では、図９に示すように、衝突の有無情報（衝突フラグ）と衝突音選択情報とを別個に表したが、どの位置座標において、どの種類の実衝突模倣音を選択するかが表されていれば、衝突情報欄に表される衝突情報についての形式はどのようなものであってもよい。
例えば、衝突情報欄には、各位置座標毎に単に実衝突模倣音の種類だけを表し、独立して衝突有無を表す情報を省略してもよい。この場合は、実衝突模倣音の種類を表していること自体が衝突有をも表すことであると、音声制御装置８側において検知できるようにすればよい。
【図面の簡単な説明】
【００９７】
【図１】本発明が適用された映像式パチンコ機の一実施形態の要部構成図である。
【図２】図１中の主制御装置、画像表示制御装置及びカード制御装置部分を取り出して示すブロック図である。
【図３】図１中の画像表示器に表示される盤面画像の一例を示す図である。
【図４】図２中の主制御装置の構成例を示すブロック図である。
【図５】同じく画像表示制御装置の構成例を示すブロック図である。
【図６】図１に示すパチンコ機において球ルートを決定するための遊技球の発射強度、球属性、遊技球発射コマンド及び球属性別の球ルートテーブルの関係の一例を説明するための図である。
【図７】同上パチンコ機において球属性決定手段で球属性として決定される遊技球の生存時間と発射強度との関係を示す図である。
【図８】同上パチンコ機において盤面構成部材や遊技球の位置を特定するための遊技盤面上の三次元空間の説明図である。
【図９】図５に示す画像表示制御装置に備えられたポイントテーブルの具体例を示す図である。
【図１０】図２中の音声制御装置の構成例を示すブロック図である。
【図１１】図４に示す主制御装置における遊技球の発射処理を説明するためのフローチャートである。
【図１２】図５に示す画像表示制御装置における遊技球の表示処理を説明するためのフローチャートである。
【符号の説明】
【００９８】
１：遊技機枠、５：画像表示器、６：主制御装置（主制御手段）、６ｅ：球属性決定手段、６ｆ：コマンド送信手段（信号送信手段）、７：画像表示制御装置（画像表示制御手段）、７ｃ３：球ルートテーブル、７ｃ４：ポイントテーブル、７ｈ：遊技球移動表示手段、８：音声制御装置（音声制御手段）、３７：スピーカ（音声出力装置）、３３：発射操作部、３９，４２〜５５：盤面構成部材、５６：遊技釘（盤面構成部材）、５７：遊技球、９１：衝突情報欄、Ｓ１：遊技球発射コマンド（信号）、Ｓ１１：衝突音選択情報。
【図１】
2005329126.tif 000003
【図２】
2005329126.tif 000004
【図３】
2005329126.tif 000005
【図４】
2005329126.tif 000006
【図５】
2005329126.tif 000007
【図６】
2005329126.tif 000008
【図７】
2005329126.tif 000009
【図８】
2005329126.tif 000010
【図９】
2005329126.tif 000011
【図１０】
2005329126.tif 000012
【図１１】
2005329126.tif 000013
【図１２】
2005329126.tif 000014